(57)【特許請求の範囲】
【請求項１】
複数のローラ軸の各両端に保持された小径かつ短寸の紙押えローラを、印字ヘッドの紙搬送方向上手側直近部に設けた紙押え板上の窓孔を通して紙送りローラの軸線方向と平行に、かつ該紙送りローラの周面に接して回転するよう配設するとともに、前記ローラ軸のそれぞれに前記紙送りローラに向けて付勢するばね部材を、長手方向中央部に作用させたことを特徴とするプリンタの紙押え機構。
【請求項２】
前記紙押え板の先端部を該紙押え板の後方上面に折り重ねて、折り返し部を紙押え縁としたことを特徴とする請求項１記載のプリンタの紙押え機構。
【請求項３】
前記紙押え板の先端部を該紙押え板の後方上面に折り重ねて、前記ローラ軸の端部と対応する部分にローラ軸のズレを押える規制片を立ち上げ形成する一方、前記ローラ軸の長手方向中央部と対応する部分に前記ばね部材を受ける凹部を形成したことを特徴とする請求項１記載のプリンタの紙押え機構。
【発明の詳細な説明】
【０００１】
【発明の属する技術分野】
本発明は、用紙の浮上りを押えつつ、これを印字ヘッドのもとへ導く紙押え機構に関する。
【０００２】
【従来の技術】
近年、プリンタには用紙の先端からマージンなしに記録書込みを行えるような機能が要求されるようになってきたが、インクジェット式のプリンタにおいてこのような要請に応えるには、特に、印字ヘッド部で用紙が浮上がらないようにする手段が必要になる。
【０００３】
このような用紙先端の押圧手段としては、これまで、用紙押えローラや用紙押え板を用いるようにしてきたが、前者では用紙を滑らかに押圧しながら導いてゆくことができる反面、ローラの径を小さくするのに限度があるため、用紙を浮き上がらせることなくその先端を印字ヘッドの上手側直前位置まで導いてゆくことはできず、また後者では、印字ヘッドの上手側直前位置まで用紙の先端を浮き上がらせることなく導くことができる反面、用紙毎にその押圧力を調整することがむずかしいため、特に厚手の用紙を使用したような場合には紙送りに多大の負荷がかかってしまうといった問題を有している。
【０００４】
【発明が解決しようとする課題】
本発明はこのような問題に鑑みてなされたもので、その目的とするところは、紙厚の如何に拘りなく、印字ヘッドの上手側直前位置まで用紙の先端を円滑に導くことのできる新たなプリンタの紙押え機構を提供することにある。
【０００５】
【課題を解決するための手段】
すなわち、本発明はこのような課題を達成するためのプリンタの紙押え機構として、紙送りローラの軸線と平行にかつ印字ヘッドの紙搬送方向上手側直近に列状に設けた紙押え板上の窓孔内に配設された複数の小径かつ短寸の紙押えローラと、長手方向中央部に作用するばね部材の付勢力により両端に保持した紙押えローラを紙送りローラに向けて押圧する複数のローラ軸とによって構成したものである。
【０００６】
【作用】
このように構成したことにより、多数の紙押えローラによって用紙を幅方向に等しく押圧しつつ円滑に搬送すると同時に、これらのローラによって紙厚の如何に拘りなく、紙押え板の先端で用紙を一定に抑えつつ、これを印字ヘッドの上手側直前位置まで円滑に導くようにする。
【０００７】
【発明の実施の形態】
そこで以下に本発明の実施例について説明する。
図面はいずれも本発明の一実施例を示したものである。
はじめに、図３をもとにこの紙押え機構の全容について説明する。
【０００８】
図において符号１で示した紙押え板には、小径でかつ短寸の紙押えローラ１５‥‥が、紙送りローラ２０の軸線と平行に多数支持されていて、紙押え板１は、これらのローラ１５‥‥毎に作用する紙押えばね１３の付勢力により図示しない印字ヘッドの紙搬送方向上手側の直近部に配設した紙送りローラ２０に向けて押圧された状態で、用紙を紙送りローラ２０の周面に押圧するとともに、この紙押えローラ１５‥‥を基準として紙押え板１の前縁の押圧力を一定に管理されつつ用紙を印字ヘッドのもとへ導いてゆくように構成されている。
【０００９】
つぎに、この紙押え機構の要部を拡大して示した図１、図２をもとにその詳細を説明すると、紙押え板１は、剛性がきわめて大きく、かつ極薄の金属板材によってほぼ紙送りローラ２０の長さに相当する部材として形成されていて、この面には、各紙押えローラ１５‥‥を配置するための窓孔２‥‥が紙送りローラ２０の軸線と平行に多数打抜き形成し、さらに、これらの窓孔２の両側辺を上方に立上らせて、これらの立上り片３‥‥に上向きＵ字状の軸受け凹部４‥‥を設けて、これらの部分により２本の紙押えローラ１５、１５を支持する各軸１６‥‥を支持するように形成されている。
【００１０】
一方、この紙押え板１の先端は、図２に示したように、後方上面に折り重ねられていて、その折り返した部分を紙送りローラ２０の軸線と平行な向きの滑らかな紙押え縁５として形成され、また、折り重ねた部分を各窓孔２、２の間から後方に延出させて、これらの延出部分６、８のうちの、紙押えローラ軸１６の端部と対応する各先端部分６を上方に立上らせて、この部分を紙押えローラ１５の軸方向のズレを押える規制片７とする一方、紙押えローラ軸１６の中央に向けて延出させた他の部分８の先端を、紙押えローラ軸１６を越えた部分で上方に立上らせて、その巾方向中央部分にばね受け凹部９としたものである。
【００１１】
他方、この紙押え板１の後端は、上記した規制片７と対応する部分を前方上方に折り返して、その折り返し片１０の先端を紙案内板２２にビス１１をもって固定するとともに、上記したばね受け凹部９と対応する部分は平坦面として残し、一端をフレーム２４に固定した紙押えばね１３の先端を、この平坦面を通して上記したばね受け凹部９に導いて位置決め係止した上、紙押えローラ軸１６を介して紙押え板１の先端部を印字ヘッドの紙搬送方向上手側直近部に位置させるように構成されている。
【００１２】
なお、図中符号１７は紙押えローラ１５の周面を被覆するゴム材を示しており、また、符号２６は紙搬送方向上手側から紙送りローラ２０に向けて配設された下方の紙案内板を示している。
【００１３】
このように構成された紙押え本体は、個々の紙押えローラ軸１６毎に作用する紙押えばね１３‥‥に付勢された状態で、支持した小径で短寸の各紙押えローラ１５‥‥用紙の全面に均しく接触させてこれを紙送りローラ２０の周面に圧接させ、さらに、これらの紙送りローラ１５‥‥により紙厚の如何に拘りなく用紙とも間に一定の間隙を保持した状態で、用紙の先端をその紙押え縁５により抑えて、紙の浮き上がりを生じさせることなくこれを印字ヘッドの直近部へと導く。
【００１４】
【発明の効果】
以上述べたように本発明によれば、先端の紙押え縁を印字ヘッドの直近部に位置させた紙押え板に小径かつ短寸の紙押えローラを多数支持させて、これらのローラを紙送りローラ上に押圧付勢するようにしたので、記録書込み部に送り込まれてきた用紙の巾方向全体を、これらの紙押えローラによって紙送りローラ上に均しく押圧しつつ円滑に搬送することができるとともに、紙厚の如何に拘りなくこれらの紙押えローラによって紙押え板と用紙との間隔を一定に保って、その先端の紙押え縁により用紙の浮上りを押えながら、これを記録書込み部へ確実に送り込むことができる。
【００１５】
しかも、紙押え板の先端を後方に折り重ねてその折返し部を紙押え縁となしたことにより、紙押え縁にアールを付すことを可能にして用紙との引っ掛かりをなくすことができるとともに、折り重ね部の先端を紙押えローラの軸支部としたことにより、紙押え板のみの加工によって、これらの紙押えローラを同時に支持させることができる。
【図面の簡単な説明】
【図１】本発明の一実施例をなす紙押えの要部を拡大して示した上面図である。
【図２】同上紙押えの要部を拡大して示した側面図である。
【図３】同上紙押えの全容を示した上面図である。
【符号の説明】
１  紙押え板
４  軸受け凹部
５  紙押え縁
１３  紙押えばね
１５  紙押えローラ
２０  紙送りローラ
【図１】
0003574291.tif 000002
【図２】
0003574291.tif 000003
【図３】
0003574291.tif 000004